【事件の表示】
　特許第３０８５９５０号「写真自販機」の請求項１ないし３に係る特許に対する特許異議の申立てについて、次のとおり決定する。
【結　論】
　特許第３０８５９５０号の請求項１ないし３に係る特許を取り消す。
【理　由】
（Ｉ）手続の経緯
　　本件特許第３０８５９５０号の請求項１〜３に係る発明についての出願は、平成１１年７月２６日に特許出願され、平成１２年７月７日にその発明について特許の設定登録がなされ、その後、その特許について、関野　洪及び稲本　勝年より特許異議申立てがなされ、これを受けて取消理由通知がなされ、その指定期間内に訂正請求がなされ、訂正拒絶理由通知がなされ、これに対して、意見書が提出されたものである。
（ＩＩ）訂正の適否
  平成１３年７月２６日に特許権者が行った、願書に添付した明細書又は図面の訂正の請求は、以下の理由によって拒絶すべきものである。
　特許権者が求めている訂正は、以下のａを含むものである。
ａ、特許請求の範囲第１項を「・・・撮影装置が複数設けられ、・・・」と訂正する。
　しかし、上記ａの訂正により、特許請求の範囲第１項を引用している特許請求の範囲第３項の記載が、撮影装置が複数設けられかつハーフミラーを用いた実施例を意味するものとなってしまった。
　そのような実施例は、出願当初の明細書または図面には記載されていない。
　それゆえ、上記ａは新規事項の追加に該当する。
　以上のとおりであるから、当該訂正は、特許法第１２０条の４第３項において準用する第１２６条第２項の規定に適合しないので、当該訂正は認められない。
（ＩＩＩ）特許異議の申立て
（１）本件発明１〜３
　特許第３０８５９５０号の請求項１〜３に係る発明（以下、本件発明１〜２という。）は、特許明細書の特許請求の範囲に記載された次のとおりのものである。
「【請求項１】被写体の写真を撮影して販売する写真自販機であって、被写体の全身を撮影する撮影装置が設けられ、上記撮影装置の光軸が、被写体を斜め下から見上げる方向に沿うように設けられるとともに、被写体を撮影する角度を、被写体を斜め下から見上げながら変更しうるようになっており、上記撮影装置で撮影した画像を被写体が確認しうる画像表示装置が設けられ、被写体が、自分の好みの撮影画像を選択しうるようになっていることを特徴とする写真自販機。
【請求項２】被写体の斜め下にミラーが設けられ、撮影装置が上記ミラーに向かって設けられ、上記撮影装置の光軸をミラーに反射させて被写体を撮影することにより、上記撮影装置の光軸を被写体を斜め下から見上げる方向に沿わせるとともに、被写体と撮影装置との見かけの距離を長くとるようにした請求項１記載の写真自販機。
【請求項３】被写体の斜め下に、ハーフミラーが設けられ、撮影装置の光軸が、上記ハーフミラーを透して被写体を斜め下から見上げる方向に沿うように設けられている請求項１記載の写真自販機。」
（２）前記取消理由
　前記取消理由の概要は、
「１　特許法第２９条第２項違反について
刊行物１：特開平１１−１６０７８５号公報
刊行物２：特開平４−２７４２２９号公報
刊行物３：実願平３−６５２９５号（実開平５−１５８６７号）のＣＤ−ＲＯＭ
刊行物４：特開平１０−２３９７６０号公報
刊行物５：実願昭４８−９３８０９号（実開昭５０−４１５４４号）のマイクロフイルム
刊行物６：種田　緑郎著「アマチュア　写し方百科」昭和３２年１月２０日、田中書店発行、第７５〜７８頁
刊行物７：臼田　宏編「画面構成のテクニック」平成８年５月１日、株式会社　玄光社発行、第４２〜４５頁
刊行物８：特開平１０−３３４３４２号公報
刊行物９：特開昭５９−９９４２５号公報
刊行物１０：米国特許第５２６２８１５号明細書及び図面
刊行物１１：特開平１０−１６１２３３号公報
刊行物１２：特開平１１−８４５２３号公報
刊行物１３：特表平５−５０５４７３号公報
刊行物１４：特表平１０−５０３３４３号公報
上記刊行物１〜１４には、異議申立人関野　洪が提出した特許異議申立書第６−９頁記載の発明ないし異議申立人稲本　勝年が提出した特許異議申立書第６−８頁記載の発明が記載されている。
（請求項１〜３に係る発明について）
請求項１〜３に係る発明と上記刊行物１または２記載の発明とを対比すると、細部の構成が相違するが、そのような構成は、刊行物１〜１４に開示されている。」というものである。
（３）当審の認定、判断
　そこで、前記取消理由について検討する。
１　特許法第２９条第２項違反について
　取消理由で引用した刊行物１（特開平１１−１６０７８５号公報）には、「撮影料金が低額であり、多様な撮影が行え、撮影の演出が準備され、即時にプリント出力が行え、撮り直しが容易で、プライベイトな撮影を行えるフォトボックスを提供することにある。」（段落【０００４】）、「ビデオ出力を有する場合には、被写体を撮影してモニターＴＶ（図示せず）に表示することができる。なお室内（ボックス内）のカメラ側を鏡とすることによって、被写体の表情姿勢（ポーズ）を確認することができる。撮影手段３は撮影指令信号に同調し、かつ、その撮影指令信号によって特定される撮影角度で被写体１７を撮影しＡ／Ｄ変換して撮影データを生成する。撮影手段３に撮影角度を持たせる方法としては、撮影手段３を異なった撮影角度で設置された複数の撮影ユニットから構成し（図２参照）、撮影指令信号によって特定される撮影角度の撮影ユニットによって撮影を行うようにする。」（第８欄第２９〜４０行）、「また、別の方法としては、遮音ボックス１６の内部において移動ステージの位置、角度を変化するステージ移動手段４を用いる。そして、撮影手段３または少なくとも撮影手段の撮影ユニットをその移動ステージに固定する。そして、撮影指令信号によって特定される撮影角度となるように、ステージ移動手段により移動ステージを移動し撮影を行う。ステージ移動手段としては、Ｘ−Ｙ−Ｚ移動機構と直交する２軸の回転機構とを組合わせて構成される。また、ロボットのアームを用いることができる。」（段落【００１８】）、「表示手段６によって構成される。表示手段６に表示された複数の表示画像の内から選択する表示画像の部分を利用者が指で触れると透明タッチパネルスイッチが作動し選択入力が行われる。・・・画像選択手段７によって画像が選択された場合に、表示手段６に配列表示された複数の表示画像に代わり、選択された画像を画面全体に拡大して表示する。その表示画面において利用者は画像の良否を確認することができる。」（第９欄第４２行〜第１０欄第３行）、「また、撮像手段３には、複数のＣＣＤカメラ２０３ａ、２０３ｂ、２０３ｃ、２０３ｄ、２０３ｅが用いられる。これらは異なる撮像角度を有し、被写体１７を様々な角度から撮像する。」（第１１欄第４０〜４４行）、及び「撮影手段が異なった撮影角度で設置された複数の撮影ユニットから構成される本発明によれば、演出された撮影の流れに応じて被写体の姿勢や状況に適合する方向からの撮影を行うことができる。」（第１４欄第３８〜４１行）との記載があり、図面第２図からは、ＣＣＤカメラ２０３ａ、２０３ｂ、２０３ｃ、２０３ｄ、２０３ｅが被写体１７を斜め下から見上げていることが窺える。
　してみると、刊行物１には、結局、被写体１７の写真を撮影して販売するフォトボックスであって、被写体１７の全身を撮影する撮影装置３が設けられ、上記撮影装置３が異なった撮影角度で設置された複数の撮影ユニットから構成されるとともに、撮影指令信号によって特定される撮影角度の撮影ユニットによって撮影を行うようになっており、上記撮影装置３で撮影した画像を被写体１７が確認しうる表示手段６が設けられ、被写体１７が、自分の好みの撮影画像を選択しうるようになっていることを特徴とするフォトボックス、が開示されている。
　同じく引用した刊行物２（特開平４−２７４２２９号公報）には、「２１は該姿見カメラ２０のハウジングであり、該ハウジング２１の被写体側（正面側）には球面ハーフミラー２２が、その凸面側を露出させて保持されている。尚、本実施例では前記ハーフミラー２２の凸面側を半透過鏡面２２ａとしてある。」（第３欄第４５〜４９行）、「影消し用のフラッシュ装置等が設けられている。そして、前記撮影レンズ３１の光軸３３は反射ミラー３２によって鉛直方向から水平方向に直角に屈折されている。」（第４欄第１７〜２０行）、「図２に示すように被写体１０側から見た見かけ上の撮影レンズ３１の前方主平面Ｋは、前記球面ハーフミラー２２の曲率中心点Ｑよりも被写体１０側にある。」（第４欄第４４〜４７行）、「カメラ全体の大きさを大きくすることなく被写体の全身をハーフミラー上に映し出させることができる。
」（第５欄第３６〜３８行）、「例えば被写体１０が姿見カメラ２０に対してこれを見下ろすような」（第６欄第１４〜１５行）、及び「前記ボールジョイント２３によって、姿見カメラ２０のハウジング２１をスライドアーム２４の上端にその長手方向に傾倒自在に取り付け、且つ、該スライドアーム２４を、床面に設置されたスタンド２５の主柱２６に対し長手方向に出没自在に取り付けたので、被写体１０の体格に応じてハウジング２１の位置及び向きを調節することができる。」（第６欄第２２〜２８行）との記載があり、図面第１図からは、被写体１０の斜め下に球面ハーフミラー２２が位置していることが窺え、
　同じく引用した刊行物３（実願平３−６５２９５号＜実開平５−１５８６７号＞のＣＤ−ＲＯＭ）には、「洗面キャビネット１の前面にも別のカメラ８が設けられ、使用者を前方斜め下から撮影できるようになっている。図示はしないが、ミラー４の下辺隅部やキャビネット１の上面もしくは前面など適宜の箇所にスイッチが設けられており、カメラやモニター画面の操作を行なえるよう構成されている。」（段落【０００９】第４〜７行）及び「カメラ７、８がそれぞれ２台ずつ設けられているが、」（段落【００１２】第１行）との記載があり、
　同じく引用した刊行物４（特開平１０−２３９７６０号公報）には、「撮影窓１７及びハーフミラー４５を透過した被写体光を撮影レンズ３２ｂによりイメージエリアセンサ３２ａに結像させて、被写体を撮像する。・・・なお、ハーフミラー４５を用いる代わりに、撮影光軸に出入りする可動ミラーを配置してもよく、この場合には、ディスプレイ表示の際に撮影光軸内に挿入され、撮影の際には撮影光軸から退避される。」（第４欄第２４〜３３行）、「アングル変更ボタンは、上下左右の向きを記した４つのボタンで構成されている。コントローラ４０は、金銭投入信号を受けてからアングル変更ボタンからの操作信号を受け取ることで、ドライバー４７ａ、４８ａを介してモータ４７、４８を駆動する。モータ４７はカメラ３２を垂直方向に首振りし、他方のモータ４８はカメラ３２を水平方向に首振りする。また、操作パネル１８のカメラ位置変更ボタンの操作により昇降部４９を介してカメラ３２が昇降し、カメラ３２の高さが変更される。」（第４欄第３９〜４８行）及び「被撮影者は、ディスプレイ３３の表示画面を観察して、好みの表示である場合には決定ボタンを操作して、この画像データを選択する。また、表情やポーズに不満がある場合には、再度撮影を行い、同様の選択操作が行われる。」（第７欄第１９〜２３行）との記載があり、
　同じく引用した刊行物５（実願昭４８−９３８０９号＜実開昭５０−４１５４４号＞のマイクロフイルム）には、「また、被写体からＴＶカメラまでの水平距離が短縮されるので、本考案のゴルフフォームの分析用撮像装置を用いてもゴルフ練習場における打席の数の減少を最少にくいとめることができ、さらに本考案装置では装置全体をコンパクトにまとめることができるので、その実用的な効果が大きい。」（第７頁第１６行〜第８頁第２行）との記載があり、図面第１図と第３図とからは、被写体の斜め下に反射鏡４が設けられ、ＴＶカメラ１が上記反射鏡４に向かって設けられ、上記ＴＶカメラ１の光軸を反射鏡４に反射させて被写体を撮影することにより、被写体とＴＶカメラ１との見かけの距離を長くとる点が窺え、
　同じく引用した刊行物６（種田　緑郎著「アマチュア　写し方百科」昭和３２年１月２０日、田中書店発行、第７５〜７８頁）には、「カメラの高さが高いと、モデルの背が低く写り、低いとモデルの背が高く写ります。こういったことを利用して、背を高く写すときには低い位置から写すということになりますが、むやみにカメラが低すぎても、下半身が異様に大きく写ってしまいます。」（第７６頁）及び「低い角度から
カメラの位置を低くして写すと、背が高くスマートに写ります。」（第７８頁作例Ａ１１の説明書き）との記載があり、
　同じく引用した刊行物７（臼田　宏編「画面構成のテクニック」平成８年５月１日、株式会社　玄光社発行、第４２〜４５頁）には、「ローアングルでは脚が長く見える長身美人となるが、極端にし過ぎると顔が小さく、アンバランスになりやすい。」（第４２頁右欄第４〜７行）及び「ローアングルでは逆に、頭が小さく脚が長く描写される。」（第４４頁中央下部欄の写真の説明書き）との記載があり、
　同じく引用した刊行物８（特開平１０−３３４３４２号公報）には、ハーフミラー７６に関する記載があり、
　同じく引用した刊行物９（特開昭５９−９９４２５号公報）には、半透明の平面ガラスからなる窓部５及び反射ミラーを有する撮影機１０の記載があり、
　同じく引用した刊行物１０（米国特許第５２６２８１５号明細書及び図面）には、反射ミラー１６０の上部にカメラ３４を設ける点の記載があり、
　同じく引用した刊行物１１（特開平１０−１６１２３３号公報）には、ハーフミラー８０の上部にカメラ７６をもうける点の記載があり、
　同じく引用した刊行物１２（特開平１１−８４５２３号公報）には、「上述した自動装置は、硬貨あるいは代用硬貨（あるいはその類似物）機構、すなわち写真撮影に先立って１個あるいは複数個の硬貨（あるいは硬貨類似代用品、紙幣あるいはクレジットカードなど）の挿入により作動される機構を有する。・・・この制御手段は、写真機により撮影されるべき画像を使用者に示し得る可視的ディスプレイ装置をも具備することが好ましい。この付属設備により、今の画像が適当じプリントされるべきか否かを判断することができる。」（段落【０００９】第１〜１１行）、「写真撮影帯域は、使用者（場合に少人数のグループ）の上方部分（例えば頭部および首部）が撮影されるようになされているが、撮影帯域の拡張および/あるいは適当な光学的もしくは電気的なカメラの制御および/あるいは多重カメラの使用により大きい部分（例えば使用者の全身）が撮影され得るようになされる。」（段落【００１６】）、及び「背部壁２に面するボックス構造体の壁４は、その中央部分凹陥部にガラス板１０が嵌装され、このガラス板は部分的鏡面として構成され、写真撮影帯域３からの光線の一部分がこの半鏡面１０上に入射して透過し、他の光線部分が反射して帯域３に戻るようになされる。このガラス板１０は壁４のほぼ中央に配置され、ガラス板の中央が直立姿勢の平均身長人物のほぼ眼の高さに在る。」（段落【００１８】第１〜８行）との記載があり、
　同じく引用した刊行物１３（特表平５−５０５４７３号公報）には、「全身撮影手段ないしカメラ」（第２頁右下欄第１９行）、「硬貨もしくは代用コインをスロット３０に挿入して装置を作動する」（第５頁右下欄第１６〜１７行）、「画面映像により利用者がこれに満足した場合には、制御手段３１を操作して、画像焼付け処理を開始し得る。」（第５頁右下欄第２３行〜第６頁左上欄第１行）、及び「しかしながら、このような角度配置を水平方向に対して直角もしくはそれ以上の角度で、鏡面により角度をなす光路で被撮影者を走査することもできる。さらに角度配置を、カメラなどの全体的な移動、例えば上方運動の間に傾斜させることも可能である。同様にして、カメラ（および全体的に上下動させるべき機器）が上下動する際に、これが垂直方向路における運動に限定されるように、固定された横方向配置に保持されることもできる。あるいはまた、垂直方向運動にともない、例えばカメラを垂直方向に対して相当程度傾斜された運動路（これは直線的でも彎曲してもよい）に沿ってカメラを運動させることにより、かつ/もしくはカメラの垂直方向運動路における単一位置もしくは複数位置における横方向（例えば水平方向ないしほぼ水平方向）の移動を導入することにより、認め得る程度の横方向運動をもたらすことも可能である。上述したカメラの角度配置および/あるいは横方向運動における変更は、あらかじめ定められた態様において、かつ/もしくは自動的制御（例えば高さ調整センサあるいはフォーカス装置により作動開始される）に対応して、かつ/もしくは手動制御により行われ得る。」（第６頁右下欄第１６行〜第７頁第１２行）との記載があり、
　同じく引用した刊行物１４（特表平１０−５０３３４３号公報）には、「図５は、画像取り込みシステム１０の好適な実施形態を示す。この実施形態において、画像取り込みシステム１０は、単一のハウジング４０内に完全に収容されている。画像生成光１２は、透明で完全に透光性のガラスパネル６０を通って、一点鎖線により示す光路に沿ってハウジング４０内に入る。画像生成光１２は、画像生成光１２の固定されたパーセンテージを透過させるビームスプリッタ４２を透過する。好適な実施形態においては、ビームスプリッタ４２は、画像生成光の約６０％を透過させる。ビームスプリッタ４２はまた、色にかかわらず広範囲の波長の光を透過させ且つ反射するという点で、色消しタイプである。ビームスプリッタ４２は、光の入射ビームに導入されて、ビームを、ほぼ均等の相対分光成分を有するが２つの異なる方向に伝搬する２つのビームに分割する。好適な実施形態において、ビームスプリッタ４２は、所望の透過光量に比例する銀層密度を有するハーフシルバーミラーである。透過光はその後ミラー４４および４６で反射されて、ビデオカメラ５０上のレンズ４８に向かう。画像の質は、人工光で周囲の光を増大させることにより向上される。ストロボライト２０と共に示すモデリングライトが用いられる。ビデオカメラ５０はまた、被写体８までの距離に応じてレンズ４８を調整することにより画像をシャープにする。距離は、ソナートランスデューサ６２を有するソナーレンジングシステム、または当該分野でよく知られた他の同様のソナーレンジングシステムを用いて決定される。ビデオカメラ５０は透過光を電子画像信号に変換し、電子画像信号は液晶表示パネル（ＬＣＤ）５２に送られる。ＬＣＤパネル５２は、電子画像をユーザに表示するという点で、上記のビデオモニタ１６として作用する。このことは、電子画像をビームスプリッタ４２に向けて投射し、ビームスブリッタ４２が電子画像を、一点鎖線で示すようにガラスパネル６０を介して外に向かってユーザ方向に反射することにより、達成される。」（第１０頁第１２行〜第１１頁第９行）との記載がある。
（本件請求項１に係る発明について）
　そして、本件請求項１に係る発明と刊行物１記載の発明とを比較すると、前者の「被写体」、「写真自販機」、「撮影装置」、「画像表示装置」は、夫々、後者の「被写体１７」、「フォトボックス」、「撮影装置３」、「表示手段６」に相当するから、両者は、被写体の写真を撮影して販売する写真自販機であって、被写体の全身を撮影する撮影装置が設けられ、上記撮影装置で撮影した画像を被写体が確認しうる画像表示装置が設けられ、被写体が、自分の好みの撮影画像を選択しうるようになっていることを特徴とする写真自販機で一致し、
Ａ前者は、上記撮影装置の光軸が、被写体を斜め下から見上げる方向に沿うように設けられるのに対して、後者は、上記撮影装置３が異なった撮影角度で設置された複数の撮影ユニットから構成される点、
Ｂ前者は、被写体を撮影する角度を、被写体を斜め下から見上げながら変更しうるようになっているのに対して、後者は、撮影指令信号によって特定される撮影角度の撮影ユニットによって撮影を行うようになっている点で相違する。
　そこで、先ず、相違点Ａについて検討すると、刊行物１の図面第２図からは、ＣＣＤカメラ２０３ａ、２０３ｂ、２０３ｃ、２０３ｄ、２０３ｅが被写体１７を斜め下から見上げていることが窺えるから、相違点Ａは実質的に開示されている。
　仮に、開示されていないとしても、ローアングルで撮影することは従来周知（例えば、刊行物２、刊行物３、刊行物６及び刊行物７等を参照。）の技術手段に過ぎない。
　次に、相違点Ｂについて検討すると、刊行物１の複数の撮影ユニットは異なった角度で設置されているから、これらのいずれかの撮影ユニットで撮影すれば、撮影角度を変更したことになるから、相違点Ｂは実質的に開示されている。
　仮に、開示されていないとしても、撮影する角度を、被写体を斜め下から見上げながら変更するようなことは、従来周知（例えば、刊行物１の段落【００１８】の記載、刊行物２及び刊行物４等を参照。）の技術手段に過ぎない。
　それゆえ、本件請求項１に係る発明は、刊行物１及び従来周知技術に基づいて当業者が容易に推考できたものである。
（本件請求項２に係る発明について）
　本件請求項２に係る発明は、本件請求項１に係る発明の構成を「被写体の斜め下にミラーが設けられ、撮影装置が上記ミラーに向かって設けられ、上記撮影装置の光軸をミラーに反射させて被写体を撮影することにより、上記撮影装置の光軸を被写体を斜め下から見上げる方向に沿わせるとともに、被写体と撮影装置との見かけの距離を長くとるようにした」と限定するものであるが、写真自販機において、カメラの光軸にミラーを設けることは従来周知（例えば、刊行物９、刊行物１０等を参照）の技術手段に過ぎず、「上記撮影装置の光軸を被写体を斜め下から見上げる方向に沿わせる」ことは上記相違点Ａの検討で述べたとおりである。そして、「被写体の斜め下にミラーが設けられ、撮影装置が上記ミラーに向かって設けられ、上記撮影装置の光軸をミラーに反射させて被写体を撮影することにより、被写体と撮影装置との見かけの距離を長くとるようにした」点は、刊行物５に開示され、刊行物１に記載のものと刊行物５に記載のものとは、非常に近接した技術分野に属するものであるから、刊行物５に記載のものを刊行物１に記載のものに適用することは、当業者なら容易である。
　それゆえ、本件請求項２に係る発明は、刊行物１、刊行物５及び従来周知技術に基づいて、当業者が容易に推考できたものである。
（本件請求項３に係る発明について）
  本件請求項３に係る発明は、本件請求項１に係る発明の構成を「被写体の斜め下に、ハーフミラーが設けられ、撮影装置の光軸が、上記ハーフミラーを透して被写体を斜め下から見上げる方向に沿うように設けられている」と限定するものであるが、撮影装置の光軸が、ハーフミラーを透して被写体方向に沿うようにすることは従来周知（例えば、刊行物８、刊行物９、刊行物１１及び刊行物１２等を参照。）の技術手段に過ぎず、ハーフミラーの位置を被写体との関係で何処にするかというようなことは設計的な事項に過ぎない。
　そして、上記相違点Ａの検討で述べたように、ローアングルで撮影することは従来周知の技術手段であるから、ハーフミラーを、被写体の斜め下に設けることは、当業者なら容易に推考できたといわざるをえない。また、ハーフミラーを、被写体の斜め下に設けることは、刊行物２の球面ハーフミラー２２として開示されてもいる。
　それゆえ、本件請求項３に係る発明は、刊行物１、刊行物２及び従来周知技術に基づいて、当業者が容易に推考できたものである。
　そうすると、本件請求項１〜３に係る発明についての特許は、特許法第２９条第２項の規定に違反してされたものであり、特許法第１１３条第２号に該当するので、取り消すべきものである。
　よって、結論のとおり決定する。
【異議決定日】
平成１３年１２月５日（２００１．１２．５）